【手続補正書】
【提出日】平成22年7月26日(2010.7.26)
【手続補正１】
【補正対象書類名】特許請求の範囲
【補正対象項目名】全文
【補正方法】変更
【補正の内容】
【特許請求の範囲】
【請求項１】
情報処理装置と通信可能な撮像装置であって、
被写体を撮像し画像データを得る撮像手段と、
前記撮像手段による撮像に関する操作を受け付ける操作手段と、
前記操作手段が操作されたことに基づき、前記撮像に関する属性情報を前記情報処理装置に送信する送信手段と、
前記情報処理装置に記憶された属性情報のうち、前記送信手段にて送信された属性情報に基づき検索された属性情報を含む検索結果を、前記情報処理装置から受信する受信手段と、
前記受信した検索結果に基づき、前記情報処理装置とは異なる装置である画像処理装置と通信する通信手段とを有することを特徴とする撮像装置。
【請求項２】
前記検索結果は、前記画像処理装置と通信するためのパラメータを含み、
前記通信手段は、前記パラメータに基づき、前記画像処理装置と通信し画像データを受信することを特徴とする請求項１に記載の撮像装置。
【請求項３】
前記操作手段による操作に応じて、前記属性情報を生成する生成手段を有し、
前記送信手段は、前記生成された属性情報を前記情報処理装置に送信することを特徴とする請求項１または２のいずれか１項に記載の撮像装置。
【請求項４】
前記送信手段は、前記生成手段により生成された属性情報と前記撮像手段により得られた画像データとのうち、前記属性情報を情報処理装置に送信することを特徴とする請求項３に記載の撮像装置。
【請求項５】
前記送信手段は、前記撮像手段により得られた画像データを前記情報処理装置に送信しないことを特徴とする請求項１乃至４のいずれか１項に記載の撮像装置。
【請求項６】
前記属性情報は、前記撮像手段による撮像が行われた日時を示す日時情報、または前記撮像手段による撮像が行われた際の前記撮像装置の位置を示す位置情報を含むことを特徴とする請求項１乃至５のいずれか１項に記載の撮像装置。
【請求項７】
前記属性情報は、前記撮像のための動作に関連したパラメータを含むことを特徴とする請求項１乃至６のいずれか１項に記載の撮像装置。
【請求項８】
撮像装置の撮影方向を取得する第１の取得手段と、
前記撮像装置の位置情報を取得する第２の取得手段とを有し、
前記検索結果は、前記撮像手段による撮像の際の撮像装置の撮影方向と位置情報とを含み、
前記受信手段により受信した検索結果に含まれる属性情報のうち、前記第１の取得手段により得た前記撮像装置の撮影方向と、前記第２の取得手段により得た位置情報とに応じた属性情報を検索する属性情報検索手段を有することを特徴とする請求項１乃至７のいずれか１項に記載の撮像装置。
【請求項９】
前記画像データを記憶媒体に記憶するよう制御する記憶制御手段と、
前記記憶制御手段により記憶された画像データの削除を指示する削除手段とを有し、
前記送信手段は前記削除手段による削除の指示に伴い、前記削除の指示の対象となった画像データの属性情報を削除させるための信号を、前記情報処理装置に送信することを特徴とする請求項１乃至８のいずれか１項に記載の撮像装置。
【請求項１０】
前記情報処理装置に記憶された属性情報は、該属性情報を検索結果に含めるか否かを制御するための制御情報と関連付けられていることを特徴とする請求項１乃至９のいずれか１項に記載の撮像装置。
【請求項１１】
前記制御情報は、前記画像処理装置のうち、特定の装置との通信を行うよう制御するための情報であることを特徴とする請求項１０に記載の撮像装置。
【請求項１２】
前記送信手段は、前記撮像手段により画像データが得られない場合であっても、前記属性情報を前記情報処理装置に送信することを特徴とする請求項１乃至１１のいずれか１項に記載の撮像装置。
【請求項１３】
前記検索結果に含まれる属性情報は、前記撮像装置とは異なる装置から前記情報処理装置に送信された属性情報であることを特徴とする請求項１乃至１２のいずれか１項に記載の撮像装置。
【請求項１４】
撮像装置と通信可能な情報処理装置であって、
前記撮像装置から撮像に関する属性情報を受信する受信手段と、
前記受信した属性情報を記憶する記憶手段と、
前記属性情報を受信した際に、当該属性情報に基づき、前記記憶手段に記憶されている属性情報を検索する検索手段と、
前記検索手段により得られた属性情報を含む検索結果を前記撮像装置に送信する送信手段とを有し、
前記検索結果は、前記情報処理装置とは異なる装置である画像処理装置と前記撮像装置とが通信するためのパラメータを含むことを特徴とする情報処理装置。
【請求項１５】
前記検索手段は、前記属性情報を受信してから、所定の時間が経過した後に検索を開始することを特徴とする請求項１４に記載の情報処理装置。
【請求項１６】
互いに通信可能な撮像装置と情報処理装置とからなる通信システムであって、
前記撮像装置は、
被写体を撮像し画像データを得る撮像手段と、
前記撮像手段による前記撮像に関する操作を受け付ける操作手段と、
前記操作手段が操作されたことに基づき、前記撮像に関する属性情報を前記情報処理装置に送信する送信手段とを有し、
前記情報処理装置は、
前記属性情報を受信する受信手段と、
前記受信した属性情報を記憶する記憶手段と、
前記属性情報を受信した際に、当該属性情報に基づき、前記記憶手段に記憶されている属性情報を検索する検索手段と、
前記検索手段により得られた属性情報を含む検索結果を前記撮像装置に送信する送信手段とを有することを特徴とする通信システム。
【請求項１７】
情報処理装置と通信可能な撮像装置の制御方法であって、
被写体を撮像し画像データを得る撮像工程と、
前記撮像工程における撮像に関する操作を受け付ける操作部が操作されたことに基づき、前記撮像に関する属性情報を前記情報処理装置に送信する送信工程と、
前記情報処理装置に記憶された属性情報のうち、前記送信工程にて送信された属性情報に基づき検索された属性情報を含む検索結果を、前記情報処理装置から受信する受信工程と、
前記受信した検索結果に基づき、前記情報処理装置とは異なる装置である画像処理装置と通信する通信工程とを有することを特徴とする撮像装置の制御方法。
【請求項１８】
請求項１７に記載の制御方法をコンピュータに実行させるためのコンピュータが読み取り可能なプログラム。
【手続補正２】
【補正対象書類名】明細書
【補正対象項目名】発明の名称
【補正方法】変更
【補正の内容】
【発明の名称】撮像装置、情報処理装置、通信システム、撮像装置の制御方法、プログラム
【手続補正３】
【補正対象書類名】明細書
【補正対象項目名】０００７
【補正方法】変更
【補正の内容】
【０００７】
本発明は、撮像装置で撮影された画像を容易に指定し、取得するためのシステムを提供することを目的とする。
【手続補正４】
【補正対象書類名】明細書
【補正対象項目名】０００８
【補正方法】変更
【補正の内容】
【０００８】
上記課題を解決するために、本発明に係る撮像装置は、情報処理装置と通信可能な撮像装置であって、被写体を撮像し画像データを得る撮像手段と、前記撮像手段による撮像に関する操作を受け付ける操作手段と、前記操作手段が操作されたことに基づき、前記撮像に関する属性情報を前記情報処理装置に送信する送信手段と、前記情報処理装置に記憶された属性情報のうち、前記送信手段にて送信された属性情報に基づき検索された属性情報を含む検索結果を、前記情報処理装置から受信する受信手段と、前記受信した検索結果に基づき、前記情報処理装置とは異なる装置である画像処理装置と通信する通信手段とを有することを特徴とする。
【手続補正５】
【補正対象書類名】明細書
【補正対象項目名】０００９
【補正方法】変更
【補正の内容】
【０００９】
また、本発明に係る情報処理装置は、撮像装置と通信可能な情報処理装置であって、前記撮像装置から撮像に関する属性情報を受信する受信手段と、前記受信した属性情報を記憶する記憶手段と、前記属性情報を受信した際に、当該属性情報に基づき、前記記憶手段に記憶されている属性情報を検索する検索手段と、前記検索手段により得られた属性情報を含む検索結果を前記撮像装置に送信する送信手段とを有し、前記検索結果は、前記情報処理装置とは異なる装置である画像処理装置と前記撮像装置とが通信するためのパラメータを含むことを特徴とする。
【手続補正６】
【補正対象書類名】明細書
【補正対象項目名】００１０
【補正方法】変更
【補正の内容】
【００１０】
また、本発明に係る通信システムは、互いに通信可能な撮像装置と情報処理装置とからなる通信システムであって、前記撮像装置は、被写体を撮像し画像データを得る撮像手段と、前記撮像手段による前記撮像に関する操作を受け付ける操作手段と、前記操作手段が操作されたことに基づき、前記撮像に関する属性情報を前記情報処理装置に送信する送信手段とを有し、前記情報処理装置は、前記属性情報を受信する受信手段と、前記受信した属性情報を記憶する記憶手段と、前記属性情報を受信した際に、当該属性情報に基づき、前記記憶手段に記憶されている属性情報を検索する検索手段と、前記検索手段により得られた属性情報を含む検索結果を前記撮像装置に送信する送信手段とを有することを特徴とする。
【手続補正７】
【補正対象書類名】明細書
【補正対象項目名】００１１
【補正方法】変更
【補正の内容】
【００１１】
本発明によれば、撮影操作に関する操作に基づき、撮影に関連する情報を情報処理装置に自動的にアップロードし、情報処理装置に保存するため、いろいろな時間にいろいろな場所で撮影された画像の属性情報を装置間で共有化することができる。
【手続補正８】
【補正対象書類名】図面
【補正対象項目名】図１１
【補正方法】変更
【補正の内容】
【図１１】
2008054304.tif 000001